(57)【要約】【目的】ロッドインテグレータホルダのケース部内側の角隅部に逃げ溝部を設けて、ロッドインテグレータの辺縁部がケース部の内側面と接触するのを防止する。【解決手段】ロッドインテグレータホルダ６は、ケース部６１の内側の角隅部に、光軸Ｌ方向に延びる凹状の逃げ溝部６７Ａ〜６７Ｄを備えている。この逃げ溝部６７Ａ〜６７Ｄは、ロッドインテグレータ８の辺縁部８４Ａ〜８４Ｄが、ケース部６１の内側面６６Ａ〜６６Ｄと接触するのを防止し得るように構成されており、ロッドインテグレータの辺縁部８４Ａ〜８４Ｄがケース部６１の内側面６６Ａ〜６６Ｄと接触して破損すること、およびロッドインテグレータ８の辺縁部８４Ａ〜８４Ｄとケース部６１の内側面６６Ａ〜６６Ｄとが互いに擦れ合って、摩耗による粉塵が発生することを防止する。【選択図】          図１
2004212816.tif 000002
【特許請求の範囲】
【請求項１】
入射された光束の密度を均一化して出射するロッドインテグレータが挿入される筒状のケース部を備えたロッドインテグレータホルダであって、
前記ケース部の内側の角隅部に、該ケース部の互いに隣接する内側面の両方に跨るように、該ケース部の内側面と前記ロッドインテグレータの辺縁部との接触を回避し得る凹状の逃げ溝部が設けられていることを特徴とするロッドインテグレータホルダ。
【請求項２】
前記ケース部の一端部に、該ケース部の軸に略垂直な鍔状密閉用壁部を有し、該鍔状密閉用壁部をレンズ鏡胴の光入射端側に当接して、該レンズ鏡胴と前記ケース部との間の空間を密閉する構成とされていることを特徴とする請求項１記載のロッドインテグレータホルダ。
【請求項３】
請求項１または２に記載のロッドインテグレータホルダが配された照明光学系と、該照明光学系からの照明光を、画像情報を担持した画像表示光に変換して出力する画像表示手段と、該画像表示手段からの前記画像表示光を出射して、画像投映面上に画像を投映する投映レンズ系とを備えてなることを特徴とする投写型画像表示装置。
【発明の詳細な説明】
【０００１】
【発明の属する技術分野】
本発明は、投写型画像表示装置の照明光学系等において、光軸と垂直な面内における光束密度の均一化を図るために光路上に配設されるロッドインテグレータを保持するロッドインテグレータホルダおよびこれを備えた投写型画像表示装置に関するものである。
【０００２】
【従来の技術】
従来、デジタル・マイクロミラー・デバイス（以下、「ＤＭＤ」と称する）等の画像表示素子により照明光を光変調し、それを拡大投映するビデオプロジェクタ等の投写型画像表示装置の照明光学系においては、画像表示素子を均一に照明するために光束密度を均一化する手段として、ロッドインテグレータと称される光学プリズムが用いられている。ロッドインテグレータは、入射された光束を、その内部において繰り返し全反射させながら、光軸と垂直な面内における光束密度分布を略均一化して、出射するように構成されており、照明光学系内では特に、色分解手段としてのカラーホイール装置の後段に配設されることが多い。
【０００３】
この種のロッドインテグレータを照明光学系内において保持するための保持構造としては、従来、種々のタイプのものが知られているが（下記特許文献１〜３参照）、これらの保持構造ではロッドインテグレータの光出射面が開放されているため、次のような問題がある。
【０００４】
すなわち、ロッドインテグレータの光出射面が開放されているので、この光出射面に傷が付いたり、塵埃等が付着したりする虞がある。ロッドインテグレータが用いられる照明光学系においては、ロッドインテグレータの光出射面と画像表示素子の素子面とが光学的に共役関係を有するように構成されており、このためロッドインテグレータの光出射面に傷が付いたり、塵埃等が付着したりすると、この塵埃等の像が画像表示素子の素子面上に結像してしまう。そして、この素子面上に結像した傷や塵埃の像は、画像表示素子で表示された画像に重畳され、スクリーン上に拡大投映されてしまうという問題が生じる。
【０００５】
このような事情に鑑み、本願発明者は、ロッドインテグレータの光出射面を密閉した状態で保持可能なロッドインテグレータホルダを提案し、特許庁に対し既に開示している（特願２００２−３０６６５号）。このロッドインテグレータホルダは、ロッドインテグレータを挿入して保持する筒状のケース部と、このケース部の一端部に設けられた鍔状密閉用壁部とで構成されており、鍔状密閉用壁部をレンズ鏡胴の一端部に当接させることにより、レンズ鏡胴とケース部との間の空間を密閉できるようになっている。
【０００６】
【特許文献１】
特開平８−２２７０３４号公報
【特許文献２】
特開平１１−３２６７２７号公報
【特許文献３】
特開２００２−１３１８４０号公報
【０００７】
【発明が解決しようとする課題】
ところで、ロッドインテグレータを筒状のケース部内に挿入して保持する場合、ロッドインテグレータの各側面とケース部の内側面とが互いに接触しないように、両者の間に所定の空隙が介在するように設定されるが、この空隙はなるべく狭く設定することが好ましい。この空隙が広いと、光源部からの光の一部が、この空隙を通り抜け、さらに画像表示素子を介して、スクリーン上にこの空隙の形状が投写されてしまう虞が高まるからである。
【０００８】
しかし、この空隙を狭く設定すると、次のような問題が生じる。すなわち、ロッドインテグレータはケース部内において、板バネや接着剤等を介して保持されるが、前記空隙が狭いと、何らかの振動が加えられた際に、ロッドインテグレータの長さ方向（光軸方向）に沿った辺縁部がケース部の内側面と接触する可能性が高くなる。ロッドインテグレータの辺縁部は強度的に脆弱であるため、ケース部の内側面と接触すると破損して所期の光学性能が得られなくなったり、ロッドインテグレータの辺縁部とケース部の内側面とが互いに擦れ合って、摩耗による粉塵が発生したりする虞がある。摩耗による粉塵が発生した場合、前述したように、この粉塵がロッドインテグレータの光出射面に付着してしまい、スクリーン上に拡大投映されてしまうという問題が発生する。
【０００９】
本発明は上記事情に鑑みなされたもので、ロッドインテグレータが挿入される筒状のケース部を備えたロッドインテグレータホルダにおいて、ロッドインテグレータの辺縁部がケース部の内側面と接触して破損したり、ロッドインテグレータの辺縁部とケース部の内側面とが互いに擦れ合って、摩耗による粉塵が発生したりすることを防止し得るロッドインテグレータホルダ、およびこのようなロッドインテグレータホルダを備えた投写型画像表示装置を提供することを目的とする。
【００１０】
【課題を解決するための手段】
上記課題を解決するため本発明のロッドインテグレータホルダは、入射された光束の密度を均一化して出射するロッドインテグレータが挿入される筒状のケース部を備えたロッドインテグレータホルダであって、前記ケース部の内側の角隅部に、該ケース部の互いに隣接する内側面の両方に跨るように、該ケース部の内側面と前記ロッドインテグレータの辺縁部との接触を回避し得る凹状の逃げ溝部が設けられていることを特徴とするものである。
【００１１】
また、本発明のロッドインテグレータホルダは、前記ケース部の一端部に、該ケース部の軸に略垂直な鍔状密閉用壁部を有し、該鍔状密閉用壁部をレンズ鏡胴の光入射端側に当接して、該レンズ鏡胴と前記ケース部との間の空間を密閉する構成とすることができる。
【００１２】
また、本発明の投写型画像表示装置は、上記特徴を備えた本発明のロッドインテグレータホルダが配された照明光学系と、該照明光学系からの照明光を、画像情報を担持した画像表示光に変換して出力する画像表示手段と、該画像表示手段からの前記画像表示光を出射して、画像投映面上に画像を投映する投映レンズ系とを備えてなることを特徴とするものである。
【００１３】
なお、上記ロッドインテグレータは、その長さ方向（光軸方向）に延びる辺縁部（角張っている縁の部分）を有するものをいい、辺縁部と辺縁部の間に形成される側面は、平面であっても曲面であってもよい。したがって、その光軸方向に垂直な断面の形状は、断面の各辺が直線となる、矩形を含む多角形となる場合以外にも、断面の辺の一部が曲線となる、例えば半円形状や、断面の各辺が曲線となる、例えば星芒形状となるような場合もある。
【００１４】
また、上記ロッドインテグレータホルダのケース部は、その長さ方向（光軸方向）に垂直な断面の内側の形状が、上記ロッドインテグレータの上記断面形状と同様の形状で、若干大きいサイズのもの（例えば、略相似拡大したような形状）であることが好ましい。
【００１５】
【発明の実施の形態】
以下、本発明の実施形態について、図面を参照しながら詳細に説明する。図６は、本発明の一実施形態に係る投写型画像表示装置の概略構成を示す図である。図６に示す投写型画像表示装置１は、例えば、ビデオプロジェクタとして使用されるものであり、その筺体１１内に、光源部２、照明光学系３、画像表示手段４、および投映レンズ系５が光軸Ｌ上に配設されてなる。
【００１６】
照明光学系３は、光源部２からの白色光束をＲ、Ｇ、Ｂの３色に時分割で分解するカラーホイール装置３１を備えており、このカラーホイール装置３１の後段には、色分解された光束の密度を均一化するロッドインテグレータ８が、ロッドインテグレータホルダ６に保持されて配設されている。このロッドインテグレータ８の後段には、２枚のリレーレンズ３３、３４を保持してなるリレーレンズ鏡胴７が配設されており、さらにその後段には反射ミラー３５が設置されている。この照明光学系３は、光源部２から入射した光束を、光軸Ｌと垂直な面内における光束密度を均一化した照明光に変換して画像表示手段４に向けて出射するように構成されている。
【００１７】
画像表示手段４は、例えば、ＤＭＤ（デジタル・マイクロミラー・デバイス）が用いられる。ＤＭＤは、基板上に極めて多数のミラー素子（矩形形状をなすアルミニウムの鏡）が配列されたミラー面を備えており、このミラー面を構成する各ミラー素子の反射方向を各々独立して２方向（挟角約２０゜または２４°）に切り替え得るように構成されている。この反射方向の切替えは、各ミラー素子を画素としてＤＭＤに入力される画像信号（ビデオ信号）のオンオフ制御により行なわれ、この制御により画像表示手段４は、照明光学系３から入射した照明光を画像情報が担持された画像表示光に変換して、投映レンズ系５に向けて出射するように構成されている。
【００１８】
投映レンズ系５は、図示を省略しているが、投映レンズ鏡胴５１内において光軸Ｌ上に直列的に配設された複数枚のレンズからなる投映レンズと、これら複数枚のレンズを光軸Ｌ方向に移動させて焦点距離を変化させ、画像倍率等を変えることができるレンズ移動機構とを備えており、画像表示手段４から入射した画像表示光を画像投映面（スクリーン）に向けて投映するように構成されている。
【００１９】
上記ロッドインテグレータ８は、その光出射端側が、上記ロッドインテグレータホルダ６および上記リレーレンズ鏡胴７によって、密閉された状態で保持されている。以下、この密閉構造およびロッドインテグレータホルダ６の構成について、図１〜図３を用いてより詳細に説明する。
【００２０】
図１は、ロッドインテグレータホルダ６およびロッドインテグレータ８の外観斜視図、図２は、ロッドインテグレータホルダ６による光出射端密閉構造の要部を、光軸Ｌ方向に沿って一部を破断して示す断面図、図３は、その外観斜視図である。なお、図３（ａ）は、ロッドインテグレータ８、ロッドインテグレータホルダ６およびリレーレンズ鏡胴７が互いに組み付けられた状態を示し、同図（ｂ）は、それらが互いに分解された状態を示している。
【００２１】
図２に示す密閉構造では、ロッドインテグレータ８を保持したロッドインテグレータホルダ６は、リレーレンズ３３、３４を保持したリレーレンズ鏡胴７に対して組み付けられている。
【００２２】
ロッドインテグレータホルダ６は、ロッドインテグレータ８が挿入される矩形枠状断面のケース部６１と、このケース部６１の軸方向（長さ方向）一端部（挿入されたロッドインテグレータ８の光出射面８１に近い方の端部）に形成された鍔状密閉用壁部６２とを備えている。図１に示すように、ケース部６１は、その上方側面および下方側面に、所定の接着剤が注入される接着剤注入孔６３が各２個ずつ穿設されており、ケース部６１内に挿入されたロッドインテグレータ８を、接着剤注入孔６３より注入された接着剤によってケース部６１内において固定して保持するように構成されている。また、鍔状密閉用壁部６２は、ケース部６１の軸と略直交する、この軸を径中心とする円板状に形成されており、この鍔状密閉用壁部６２のケース部６１を挟んだ上下各１箇所には、図示せぬビスの挿入用のビス孔６４が穿設されている。さらに、鍔状密閉用壁部６２の外周部には、リレーレンズ鏡胴７側に向けて立ち上がる周壁部６５が形成されている。なお、ケース部６１、鍔状密閉用壁部６２、および周壁部６５は、深絞り成形によって互いに一体に形成されている。
【００２３】
一方、リレーレンズ鏡胴７は、略円筒状に形成された鏡胴本体部７１と、鏡胴本体部７１内に保持された２つのリレーレンズ３３、３４の間に配設された間隔環７２と、鏡胴本体部７１の光出射端側に装着された押え環７３とを備えている。また、鏡胴本体部７１の光入射端部には、ロッドインテグレータホルダ６の鍔状密閉用壁部６２と当接する当接部７４が形成されており、この当接部７４には、鍔状密閉用壁部６２に穿設されたビス孔６４と対応する位置に、ビス受け穴７５が形成されている。さらに、鏡胴本体部７１の外周面には、周囲より一段低く形成された帯状の溝部７６が設けられている。
【００２４】
上記のように構成されたロッドインテグレータホルダ６およびリレーレンズ鏡胴７は、ロッドインテグレータホルダ６の鍔状密閉用壁部６２に穿設されたビス孔６４と、リレーレンズ鏡胴７の当接部７４に形成されたビス受け穴７５との位置を合わせた状態で、互いに当接せしめられ、さらに、図示せぬビスによって互いに連結固定される。鍔状密閉用壁部６２の外周に形成された周壁部６５は、その内径が鏡胴本体部７１の光入射端部の外径より若干大きく形成されており、ロッドインテグレータホルダ６およびリレーレンズ鏡胴７の光軸Ｌと直交する方向の位置合わせを容易にすると共に、ロッドインテグレータホルダ６およびリレーレンズ鏡胴７が互いに連結された際、鏡胴本体部７１の光入射端部の外周面を覆って、両者間の密閉度を高め得るように構成されている。
【００２５】
また、図２、図３では図示を省略しているが、図１に示すようにロッドインテグレータホルダ６の上記ケース部６１の内側の各角隅部には、光軸Ｌ方向に延びる凹状の逃げ溝部６７Ａ〜６７Ｄがそれぞれ設けられている。この逃げ溝部６７Ａ〜６７Ｄは、ロッドインテグレータ８の長さ方向（光軸Ｌ方向）に沿った各辺縁部８４Ａ〜８４Ｄが、ケース部６１の各内側面６６Ａ〜６６Ｄと接触することを防止し得るように構成されている。
【００２６】
この逃げ溝部６７Ａ〜６７Ｄの作用について、図４、図７を用いてより詳しく説明する。図４は、本実施形態の作用を示す図で、ロッドインテグレータ８を保持した本実施形態のロッドインテグレータホルダ６を光入射端側から見た状態を表している。図７は、比較例の作用を示す図で、ロッドインテグレータ８を保持した比較例のロッドインテグレータホルダ１０６を光入射端側から見た状態を表している。
【００２７】
図４に示すように、ケース部６１の内側において図中左上方に位置する角隅部に設けられた逃げ溝部６７Ａは、ケース部６１の図中上方に位置する内側面６６Ａと、図中左側方に位置する内側面６６Ｂの両方に跨るように形成されている。すなわち、逃げ溝部６７Ａによって、内側面６６Ａの逃げ溝部６７Ａに近い部分および内側面６６Ｂの逃げ溝部６７Ａに近い部分は、内側面６６Ａの中央部分および内側面６６Ｂの中央部分に対して、それぞれケース部６１の外側に向けて後退した（凹んだ）形状に形成されている。
【００２８】
同様に、逃げ溝部６７Ｂは、互いに隣接する内側面６６Ｂと内側面６６Ｃの両方に跨るように、逃げ溝部６７Ｃは、互いに隣接する内側面６６Ｃと内側面６６Ｄの両方に跨るように、逃げ溝部６７Ｄは、互いに隣接する内側面６６Ｄと内側面６６Ａの両方に跨るように、それぞれ形成されている。そして、各逃げ溝部６７Ａ〜６７Ｄが設けられたことによって、上記内側面６６Ａおよび内側面６６Ｃの幅方向に沿った直線部分の長さＷ１は、ロッドインテグレータ８の側面８３Ａおよび側面８３Ｃの幅方向の長さＷ０よりも短くなっている。同様に、上記内側面６６Ｂおよび内側面６６Ｄの幅方向（図中高さ方向）に沿った直線部分の長さＨ１は、ロッドインテグレータ８の側面８３Ｂおよび側面８３Ｄの幅方向（図中高さ方向）の長さＨ０よりも短くなっている。
【００２９】
一方、図７に示す比較例のロッドインテグレータホルダ１０６においては、そのケース部１６１の内側の各角隅部に、溝部１６７Ａ〜１６７Ｄがそれぞれ設けられている。ただし、この溝部１６７Ａ〜１６７Ｄは、上記本実施形態における逃げ溝部６７Ａ〜６７Ｄとは以下のように構成が異なっている。すなわち、上記ケース部１６１おいて図中左上方に位置する角隅部に設けられた溝部１６７Ａは、ケース部１６１の図中上方に位置する内側面１６６Ａ側のみに形成されており、図中左側方に位置する内側面１６６Ｂ側には形成されていない。すなわち、溝部１６７Ａによって、内側面１６６Ａの溝部１６７Ａに近い部分は、内側面１６６Ａの中央部分に対して、ケース部１６１の外側に向けて後退した形状に形成されているが、内側面１６６Ｂの溝部１６７Ａに近い部分は、内側面１６６Ｂの中央部分と略面一に形成されている。
【００３０】
同様に、溝部１６７Ｂおよび溝部１６７Ｃは内側面１６６Ｃ側のみに、溝部１６７Ｄは溝部１６７Ａと同じく内側面１６６Ａ側のみに、それぞれ形成されている。そして、各溝部１６７Ａ〜１６７Ｄが設けられたことによって、上記内側面１６６Ａおよび内側面１６６Ｃの幅方向に沿った直線部分の長さＷ２は、ロッドインテグレータ８の側面１８３Ａおよび側面１８３Ｃの幅方向の長さＷ０よりも短くなっているのに対し、上記内側面１６６Ｂおよび内側面１６６Ｄの幅方向（図中高さ方向）に沿った直線部分の長さＨ２は、ロッドインテグレータ８の側面８３Ｂおよび側面８３Ｄの幅方向（図中高さ方向）の長さＨ０よりも長くなっている。
【００３１】
このような構成の違いによって、本実施形態のロッドインテグレータホルダ６と、比較例のロッドインテグレータホルダ１０６とでは、以下のように作用効果の面で差異を生じる。
【００３２】
すなわち、上述したようにロッドインテグレータ８は、接着剤を介してロッドインテグレータホルダ６（１０６）のケース部６１（１６１）内に固定されるが、接着剤が硬化する間にロッドインテグレータ８の姿勢が傾いてしまうことがある。しかし、本実施形態のロッドインテグレータホルダ６では、上記構成の逃げ溝部６７Ａ〜６７Ｄを備えたことによって、ロッドインテグレータ８の側面８３Ａ〜８３Ｄが、ケース部６１の内側面６６Ａ〜６６Ｄの、逃げ溝部６７Ａ〜６７Ｄとの境界部分（凸形状となっている部分）に接触することはあっても、ロッドインテグレータ８の辺縁部８４Ａ〜８４Ｄがケース部６１の内側面６６Ａ〜６６Ｄと接触することは、確実に防止されるようになっている。さらに、ロッドインテグレータ８をロッドインテグレータホルダ６のケース部６１に組み込む際に、ロッドインテグレータ８の辺縁部８４Ａ〜８４Ｄがケース部６１の内側面６６Ａ〜６６Ｄに接触する虞もない。
【００３３】
このため、ロッドインテグレータ８を保持したロッドインテグレータホルダ６に何らかの振動が加わった際に、ロッドインテグレータ８の辺縁部８４Ａ〜８４Ｄがケース部６１の内側面６６Ａ〜６６Ｄと接触して破損したり、ロッドインテグレータ８の辺縁部８４Ａ〜８４Ｄとケース部６１の内側面６６Ａ〜６６Ｄとが互いに擦れ合って、これらから摩耗による粉塵が発生したりすることを防止することができる。
【００３４】
一方、図７に示す比較例のロッドインテグレータホルダ１０６では、ロッドインテグレータ８の辺縁部８４Ａ〜８４Ｄがケース部６１の内側面１６６Ｂまたは１６６Ｄと接触する虞がある（図７では、辺縁部８４Ａが内側面１６６Ｂと接触した状態を示している）。このため、ロッドインテグレータ８を保持したロッドインテグレータホルダ１０６に何らかの振動が加わった際に、ロッドインテグレータ８の辺縁部８４Ａ〜８４Ｄがケース部１６１の内側面１６６Ｂ、１６６Ｄと接触して破損したり、ロッドインテグレータ８の辺縁部８４Ａ〜８４Ｄとケース部１６１の内側面１６６Ｂ、１６６Ｄとが互いに擦れ合って、これらから摩耗による粉塵が発生したりする虞がある。
【００３５】
また、本実施形態のロッドインテグレータホルダ６における逃げ溝部６７Ａ〜６７Ｄの底部（曲面部分）の曲率半径と、比較例のロッドインテグレータホルダ１０６における溝部１６７Ａ〜１６７Ｄの底部（曲面部分）の曲率半径は、互いに略等しく設定されている（このように底部を曲面で構成することは、成形の際に用いる型側の形状維持のために必要となる場合がある）。しかし、その曲率中心は、本実施形態における逃げ溝部６７Ａ〜６７Ｄの方が、比較例における溝部１６７Ａ〜１６７Ｄよりも、ケース部６１（１６１）の断面中心部に近い位置に設定されている。
【００３６】
このため、本実施形態のロッドインテグレータホルダ６では、ロッドインテグレータ８を保持した状態において、逃げ溝部６７Ａ〜６７Ｄとロッドインテグレータ８との間にあまり隙間が生じていないのに対して、比較例のロッドインテグレータホルダ１０６では、溝部１６７Ａ〜１６７Ｄとロッドインテグレータ８との間により大きな隙間が生じている。このような構成の違いにより、比較例のロッドインテグレータホルダ１０６では、光源部からの光の一部が、この隙間を通り抜け、さらに画像表示素子を介して、スクリーン上にこの隙間の形状が投写されてしまう虞が高いのに対して、本実施形態のロッドインテグレータホルダ６では、このような事態が生じる可能性を低減することが可能となる。
【００３７】
また、本実施形態のロッドインテグレータホルダ６は、次のような作用効果も奏する。すなわち、ロッドインテグレータ８はロッドインテグレータホルダ６のケース部６１内に保持されており、光入射面と光出射面以外は露出していないので、取り扱う際にロッドインテグレータ８にキズが付く可能性を低減し得る。
【００３８】
さらに、図１に示すように、ロッドインテグレータ８の出射面８１側に形成されたロッドインテグレータホルダ６の鍔状密閉用壁部６２および周壁部６５が、この出射面８１が他の部材等と接触することを防止する機能を果たすため、露出している出射面８１においても、取り扱う際にキズが付く可能性を低減し得る。このため、ロッドインテグレータホルダ６に保持されたロッドインテグレータ８は、その組み立て作業時等における取り扱いが極めて容易となっている。
【００３９】
また、図２に示すように、ロッドインテグレータホルダ６およびリレーレンズ鏡胴７が互いに連結されると、鏡胴本体部７１の入射端側の開口部がロッドインテグレータホルダ６の鍔状密閉用壁部６２により蓋をされた状態とされ、これにより、ロッドインテグレータ８の光出射面８１とリレーレンズ３３の入射面との間の空間が、ロッドインテグレータホルダ６の鍔状密閉用壁部６２と鏡胴本体部７１とによって周囲に対して密閉状態とされ、ロッドインテグレータ８の光出射面８１にキズが付いたり、塵埃等が付着したりすることが防止される。
【００４０】
なお、本実施形態では、ロッドインテグレータホルダ６およびリレーレンズ鏡胴７を互いに連結することにより、直ちに、ロッドインテグレータ８の光出射面８１とリレーレンズ３３との間に所定の光学距離を確保し得るように、ロッドインテグレータホルダ６およびリレーレンズ鏡胴７の各部の大きさが決められており、両者の照明光学系３内への配設作業を容易ならしめている。
【００４１】
図５に、照明光学系３内に配設されたロッドインテグレータホルダ６およびリレーレンズ鏡胴７を示す。上記のように、互いに連結されたロッドインテグレータホルダ６およびリレーレンズ鏡胴７は、照明光学系３内に設けられた配設部材３６に対して、鏡胴本体部７１の外周面に形成された溝部７６を配設部材３６に向けて押圧する半円弧状の取付部品９１と、この取付部品９１を配設部材３６に固定する取付ネジ９２を介して取り付けられる。
【００４２】
以上のように構成されたロッドインテグレータホルダ６を備えた投写型画像表示装置１においては、図６に示すように、光源部２から照明光学系３に入射しカラーホイール装置３１によって時分割に色分解された後ロッドインテグレータ８の光入射端面８２に入射した光束が、ロッドインテグレータ８によって密度を均一化された後、リレーレンズ３３、３４を介して、反射ミラー３５に向けて出射される。反射ミラー３５に入射された光束は、照明光学系３から画像表示手段４に向けて出射され、画像表示手段４において画像情報が担持される。その後、投映レンズ鏡胴５１内の投映レンズを介して、スクリーン上に投映画像が表示される。
【００４３】
以上、本発明の一実施形態について説明したが、本発明は前述した実施形態に限られず、種々の態様の変更が可能である。
【００４４】
例えば、前記実施形態のロッドインテグレータホルダでは、ケース部内側の４つの角隅部の全てに逃げ溝部を設けているが、逃げ溝部をケース部内側の全ての角隅部には設けない態様とすることも可能である。例えば、逃げ溝部を設ける角隅部と設けない角隅部を設定し、逃げ溝部を設けない角隅部近傍には、ロッドインテグレータの辺縁部とケース部の内側面との接触を防止し得る凸部（ロッドインテグレータの側面と接触することによって、ロッドインテグレータの辺縁部とケース部の内側面との接触を防止する機能を有する）を設けるようにしてもよい。
【００４５】
また、前記実施形態では、鍔状密閉用壁部の外周部に周壁部を備えているが、鍔状密閉用壁部のみで十分な密閉状態を得ることが可能であれば、このような周壁部を設けない態様としてもよい。また、より確実な密閉状態を確保するために、ロッドインテグレータホルダの鍔状密閉用壁部とリレーレンズ鏡胴の当接部との間に、ゴム製等のＯリングを介在させる構成とすることも可能である。
【００４６】
さらに、前記実施形態では、ロッドインテグレータがロッド状の光学プリズムにより構成されているが、ロッドインテグレータには、このようなタイプの他に、内面を鏡面とした中空タイプのものが知られている。この中空タイプのロッドインテグレータは、例えば４枚の長方形状のガラス板材の一面に反射コートを施し、この反射コート面が内側となるようにして断面矩形の箱体状に接着組立てすることにより形成されている。この中空タイプのロッドインテグレータでは、光源側から入射した光束が内壁面の鏡面で複数回反射されて光出射端まで導かれるが、この光出射端には、前述したプリズムタイプのようにキズや塵埃付着の原因となる端面が存在しない。しかし、内壁面の鏡面に塵埃等が付着した場合、その光学特性が損なわれる虞があるというプリズムタイプのものと同様の問題がある。本発明は、この中空タイプのロッドインテグレータについても適用することが可能である。
【００４７】
また、本発明は、上述したビデオプロジェクタの他、ロッドインテグレータが用いられる種々の光学機器に対して用いることが可能である。
【００４８】
【発明の効果】
以上詳細に説明したように、本発明のロッドインテグレータホルダによれば、ロッドインテグレータが挿入される筒状のケース部内側の角隅部に、ロッドインテグレータの辺縁部との接触を回避し得る凹状の逃げ溝部が設けられていることにより、ロッドインテグレータの辺縁部とケース部の内側面との接触を防止することができる。
【００４９】
したがって、本発明のロッドインテグレータホルダおよび投写型画像表示装置によれば、ロッドインテグレータの辺縁部がケース部の内側面と接触して破損したり、ロッドインテグレータの辺縁部とケース部の内側面とが互いに擦れ合って、摩耗による粉塵が発生したりすることを防止することができ、これにより、ロッドインテグレータの光学性能を維持し得るとともに、発生した粉塵がロッドインテグレータの光出射面に付着してしまい、スクリーン上に拡大投映されてしまうという事態が起きることを防止することが可能となる。
【図面の簡単な説明】
【図１】本発明の一実施形態に係るロッドインテグレータホルダの外観斜視図
【図２】図１に示すロッドインテグレータホルダによる出射端密閉構造を示す断面図
【図３】図２に示す光出射端密閉構造の要部外観斜視図
【図４】図１に示すロッドインテグレータホルダの作用を示す図
【図５】図２に示す光出射端密閉構造の全体外観斜視図
【図６】本発明の一実施形態に係る投写型画像表示装置の概略構成図
【図７】比較例のロッドインテグレータホルダの作用を示す図
【符号の説明】
１                  投写型画像表示装置
２                  光源部
３                  照明光学系
４                  画像表示手段
５                  投映レンズ系
６                  ロッドインテグレータホルダ（実施形態）
７                  リレーレンズ鏡胴
８                  ロッドインテグレータ
１１                プロジェクタ筺体
３１                カラーホイール装置
３３、３４          リレーレンズ
３５                反射ミラー
３６                配設部材
５１                投映レンズ鏡胴
６１                ケース部
６２                鍔状密閉用壁部
６３                接着剤注入孔
６４                ビス孔
６５                周壁部
６６Ａ〜６６Ｄ      内側面
６７Ａ〜６７Ｄ      逃げ溝部
７１                鏡胴本体部
７２                押え環
７３                レンズキャップ
７４                当接部
７５                ビス受け穴
７６                溝部
８１                光出射面
８２                光入射面
８３Ａ〜８３Ｄ      側面
８４Ａ〜８４Ｄ      辺縁部
９１                取付部品
９２                取付ネジ
１０６              ロッドインテグレータホルダ（比較例）
１６１              ケース部
１６６Ａ〜１６６Ｄ  内側面
１６７Ａ〜１６７Ｄ  溝部
Ｌ                  光軸
【図１】
2004212816.tif 000003
【図２】
2004212816.tif 000004
【図３】
2004212816.tif 000005
【図４】
2004212816.tif 000006
【図５】
2004212816.tif 000007
【図６】
2004212816.tif 000008
【図７】
2004212816.tif 000009